【手続補正書】
【提出日】平成22年1月29日(2010.1.29)
【手続補正１】
【補正対象書類名】特許請求の範囲
【補正対象項目名】全文
【補正方法】変更
【補正の内容】
【特許請求の範囲】
【請求項１】
鋼板、非鉄金属板、樹脂板、あるいはフィルム状からなる被洗浄面に付着した水分、油分、あるいは薬品成分の除去、搾取、洗浄、及び前記被洗浄面に水分、油分、薬品成分を塗布する為のロールにおいて、前記ロールはロール部及び台座を有し、前記ロール部はロール片を有すると共に、前記ロール片には、前記台座の外周部に嵌合する嵌合部が形成されてあり、前記嵌合部の断面形状が少なくとも一箇所は、くびれ部を有するΩ形状にて形成されてあることを特徴とするロール。
【請求項２】
請求項１記載の構成よりなるロールにおいて、嵌合部が台座の回転中心にたいして円周等分に前記台座の外周部に複数形成されてあることを特徴とするロール。
【手続補正２】
【補正対象書類名】明細書
【補正対象項目名】００１０
【補正方法】変更
【補正の内容】
【００１０】
前記従来の課題を解決する為に、本発明のロールは、鋼板、非鉄金属板、樹脂板、あるいはフィルム状からなる被洗浄面に付着した水分、油分、あるいは薬品成分の除去、搾取、洗浄、及び前記被洗浄面に水分、油分、薬品成分を塗布する為のロールにおいて、前記ロールはロール部及び台座を有し、前記ロール部はロール片を有すると共に、前記ロール片には、前記台座の外周部に嵌合部の断面形状が少なくとも一箇所は、くびれ部を有するΩ形状にて形成されてあるもので、嵌合部の断面形状がくびれ部を有するΩ形状の為、Ω形状のくびれ部によって、嵌合部からロール片が吊上がろうとする力を抑止できる。その為、ロール片はロールの回転中に位置ずれすることが無く、ロール部の形状が維持されるので、ロールは長期間に亘り、安定して均一に被洗浄面の液体の除去、搾取、洗浄、及び被洗浄面にたいして液体を塗布できる。
【手続補正３】
【補正対象書類名】明細書
【補正対象項目名】００１１
【補正方法】変更
【補正の内容】
【００１１】
また、前記くびれ部を有するΩ形状の嵌合部が前記台座の回転中心にたいして円周等分に前記台座の外周部に複数形成されてある為、嵌合部からロール片が吊上がろうとする力を更に抑止できる。その為、ロール片はロールの回転中に位置ずれすることが無くロール部の形状が維持されるので、前記ロールの回転が更に安定する。その為、より長期間に亘り、ロール部の形態安定化を図ることが可能となり、ロールは長期間に亘り、安定して均一に被洗浄面の液体の除去、搾取、洗浄、及び被洗浄面にたいして液体を塗布できる。
【手続補正４】
【補正対象書類名】明細書
【補正対象項目名】００１２
【補正方法】変更
【補正の内容】
【００１２】
本発明のロールは、ロール片の台座の外周部に嵌合部の断面形状が少なくとも一箇所は、くびれ部を有するΩ形状を有したもので、台座外周に沿った横ずれを防止できる。また、台座のくびれ部を有するΩ形状の根元部が、ロール片が吊り上ろうとする力にたいして、引っかかるようにして台座から吊上がることを防止できる。その為、ロール部の形状が維持されるので、ロールは長期間に亘り、安定して均一に被洗浄面の液体の除去、搾取、洗浄、及び被洗浄面にたいして液体を塗布できる。
【手続補正５】
【補正対象書類名】明細書
【補正対象項目名】００１３
【補正方法】変更
【補正の内容】
【００１３】
また、前記ロールにおいて、前記嵌合部が前記台座の回転中心にたいして円周等分の前記台座の外周部に前記嵌合部が複数形成されてあるもので、円周等分にくびれ部を有するΩ形状の前記嵌合部を複数形成してある為、前記ロールが一周する間に嵌合部からロール片が吊上ろうとする力を複数回に亘って抑止できる。その為、更にロール部の表面が凹凸になることが無く、形状が維持される。また、くびれ部を有するΩ形状の前記嵌合部が前記台座の回転中心にたいして円周等分に複数形成されてある為、ロール回転中のくびれ部を有するΩ形状の前記嵌合部の通過間隔は一定ピッチの為、ロールの回転が不均一になる事を抑制する事ができる。その為、ロール表面が凹凸になり難く、ロールは、より長期間に亘り、安定して均一に被洗浄面の液体の除去、搾取、洗浄、及び被洗浄面にたいして液体を塗布できる。
【手続補正６】
【補正対象書類名】明細書
【補正対象項目名】００１４
【補正方法】変更
【補正の内容】
【００１４】
第１の発明は、鋼板、非鉄金属板、樹脂板、あるいはフィルム状からなる被洗浄面に付着した水分、油分、あるいは薬品成分の除去、搾取、洗浄、及び前記被洗浄面に水分、油分、薬品成分を塗布する為のロールにおいて、前記ロールはロール部及び台座を有し、前記ロール部はロール片を有すると共に、前記ロール片には、前記台座の外周部に嵌合部の断面形状が少なくとも一箇所は、くびれ部を有するΩ形状にて形成されてあるもので、台座のくびれ部を有するΩ形状の根元部が、ロール片が吊り上ろうとする力にたいして、引っかかるようにして台座から吊上がることを防止できる。その為、ロール片の外周部に凹凸、うねり等が発生することが無く、液体の除去性能が劣化する問題を解決できる。
【手続補正７】
【補正対象書類名】明細書
【補正対象項目名】００１５
【補正方法】変更
【補正の内容】
【００１５】
第２の発明は、特に第1の発明のロールにおいて、前記嵌合部が前記台座の回転中心にたいして円周等分に前記台座の外周部に複数形成されてあるもので、円周等分にくびれ部を有するΩ形状の前記嵌合部を複数形成してある為、前記ロールが一周する間に嵌合部からロール片が吊上がろうとする力を複数回に亘って抑止できる。その為、更にロール部の表面が凹凸になることが無く、形状が維持される。また、くびれ部を有するΩ形状の前記嵌合部が前記台座の回転中心にたいして円周等分に複数形成されてある為、ロール回転中のくびれ部を有するΩ形状の前記嵌合部の通過間隔は一定ピッチの為、ロールの回転が不均一になる事を抑制する事ができる。例えば、台座の外周の対角線上に２箇所のくびれ部を有するΩ形状の嵌合部を形成した場合、次のような効果が得られる。ロール片と被加工面との接触部が１箇所目のくびれ部を有するΩ形状を越えた後には、ロール片の円周方向にかかる変形応力が蓄積され徐々に大きくなる為、ロール片の位置ずれが起こりやすくなるが、ロール片が半回転すると対角線上に形成した２箇所目のくびれ部を有するΩ形状により、円周方向にかかる応力を抑えることができる。その為、くびれ部を有するΩ形状を１箇所に形成した場合に比較して、２箇所にくびれ部を有するΩ形状を形成すると更に位置ずれが発生し難くできる。その為、ロール部の表面が凹凸になることが無く、形状が維持されるので、ロールは、より長期間に亘り、安定して均一に被洗浄面の液体の除去、搾取、洗浄、及び被洗浄面にたいして液体を塗布できる。
【手続補正８】
【補正対象書類名】明細書
【補正対象項目名】００１６
【補正方法】変更
【補正の内容】
【００１６】
本発明のロールにおいて、前記嵌合部が前記台座の回転中心にたいして円周等分の前記台座の外周部に前記嵌合部が複数形成されてあるもので、ロール片の台座の外周部に形成される嵌合部の断面形状において、断面形状のくびれ部を有するΩ形状は、ロールの中心に近い溝の嵌合部の開口が広く、ロールの外周に近い溝の嵌合部の開口部が狭く形成されてある形状であり、一般的には、ありほぞ形状と呼ばれている。
【手続補正９】
【補正対象書類名】明細書
【補正対象項目名】００１７
【補正方法】変更
【補正の内容】
【００１７】
また、ロール片の台座の外周部に形成される嵌合部の断面形状において、断面形状のくびれ部を有するΩ形状は、ブラシ片に掛かる円周に沿った方向及び円周外側の方向の変形力を抑えることができるので、くびれ部を有するΩ形状は小さくできる。その為、ブラシ片の寸法を均一に近い状態にできるので、ロールを構成するロール部と接触する鋼板、非鉄金属板等に均等に荷重が掛かる為、鋼板、非鉄金属板等の歪み、屈曲等が発生し難い。